(57)【要約】【課題】簡易な構造で湯気の排気と添加剤の投入が良好に行えて、攪拌タンクに代用乳を湿気させることなく供給し得ると共に添加剤を確実に投入したり、攪拌タンクの代用乳供給部の清掃性を向上させ得る代用乳溶解装置を提供する。【解決手段】所定量の水を貯留してヒータにより湯沸かしする湯沸かしタンクと、粉状の代用乳を貯留する代用乳ホッパーと、該代用乳ホッパーに接続された代用乳供給部を有し、該代用乳供給部から供給される代用乳と湯沸かしタンクから供給される湯とを攪拌溶解させる攪拌タンクと、を備えた代用乳溶解装置であって、代用乳供給部に攪拌タンク方向に送風するファンを配置すると共に、攪拌タンクの上面部に湯気の排気口と添加剤の投入口を兼用する開口部を設け、該開口部に多孔板の蓋を配置する。また、前記代用乳供給部は、その出口が着脱可能な外筒と内筒の二重構造で形成される。【選択図】  図４
2008212056.tif 000002
【特許請求の範囲】
【請求項１】
所定量の水を貯留してヒータにより湯沸かしする湯沸かしタンクと、粉状の代用乳を貯留する代用乳ホッパーと、該代用乳ホッパーに接続された代用乳供給部を有し、該代用乳供給部から供給される代用乳と前記湯沸かしタンクから供給される湯とを攪拌溶解させる攪拌タンクと、を備えた代用乳溶解装置であって、
前記代用乳供給部に攪拌タンク方向に送風するファンを配置すると共に、攪拌タンクの上面部に湯気の排気口と添加剤の投入口を兼用する開口部を設け、該開口部に多孔板の蓋を配置したことを特徴とする代用乳溶解装置。
【請求項２】
前記蓋の開閉状態を検知する検知手段を設け、該検知手段で蓋の開状態が検知された場合に、前記ファンの風量を低下させることを特徴とする請求項１に記載の代用乳溶解装置。
【請求項３】
前記蓋が開状態のままで運転スイッチがオンした場合に、ファンの作動が禁止されると共にエラー表示がなされることを特徴とする請求項１または２に記載の代用乳溶解装置。
【請求項４】
前記代用乳供給部は、その出口が着脱可能な外筒と内筒の二重構造で形成されていることを特徴とする請求項１ないし３のいずれかに記載の代用乳溶解装置。
【発明の詳細な説明】
【技術分野】
【０００１】
本発明は、子牛等を人工哺育する際に各子牛等に与えるミルクを作製するための代用乳溶解装置に関する。
【背景技術】
【０００２】
従来、子牛哺育用のミルクを作製する装置としては、例えば特許文献１に開示されている。この装置（自動哺乳機）は、粉乳（代用乳）を貯留する粉乳槽と、攪拌羽根を有して代用乳と水を攪拌してミルクを作製する乳槽（攪拌タンク）と、該攪拌タンクに給乳導管で接続されると共に先端に哺乳口が設けられた哺乳管が接続された哺乳槽等を備え、子牛乗台に子牛が乗った際にこれを検知して、哺乳口から哺乳槽内の所定量のミルクを子牛に与えるようにしたものである。
【特許文献１】実公昭４８−１０７８８号公報
【発明の開示】
【発明が解決しようとする課題】
【０００３】
しかしながら、このような装置にあっては、攪拌タンクの例えば蓋に、湯気を外部に排気する排気口や薬剤及び栄養剤等の添加剤を投入する投入口を設けているものの、投入口や排気口の大きさが小さくなり易いため、攪拌タンク内の湯気の排気が十分に行われず代用乳が蓋に設けられる供給口部分で固着したり、攪拌タンク内への添加剤の投入がし難い等、湯気の排気と添加剤の投入を良好に行うことが難しいという問題点を有している。
【０００４】
本発明は、このような事情に鑑みてなされたもので、その目的は、簡易な構造で湯気の排気と添加剤の投入が良好に行えて、攪拌タンクに代用乳を湿気させることなく供給し得ると共に添加剤を確実に投入し得る代用乳溶解装置を提供することにある。また、他の目的は、前記目的に加え、攪拌タンクの代用乳供給部の清掃性を向上させ得る代用乳溶解装置を提供することにある。
【課題を解決するための手段】
【０００５】
かかる目的を達成すべく、本発明のうち請求項１に記載の発明は、所定量の水を貯留してヒータにより湯沸かしする湯沸かしタンクと、粉状の代用乳を貯留する代用乳ホッパーと、該代用乳ホッパーに接続された代用乳供給部を有し、該代用乳供給部から供給される代用乳と前記湯沸かしタンクから供給される湯とを攪拌溶解させる攪拌タンクと、を備えた代用乳溶解装置であって、前記代用乳供給部に攪拌タンク方向に送風するファンを配置すると共に、攪拌タンクの上面部に湯気の排気口と添加剤の投入口を兼用する開口部を設け、該開口部に多孔板の蓋を配置したことを特徴とする。
【０００６】
また、請求項２に記載の発明は、前記蓋の開閉状態を検知する検知手段を設け、該検知手段で蓋の開状態が検知された場合に、前記ファンの風量を低下させることを特徴とし、請求項３に記載の発明は、前記蓋が開状態のままで運転スイッチがオンした場合は、ファンの作動が禁止されると共にエラー表示がなされることを特徴とする。さらに、請求項４に記載の発明は、前記代用乳供給部の出口が着脱可能な外筒と内筒の二重構造で形成されていることを特徴とする。
【発明の効果】
【０００７】
本発明のうち請求項１に記載の発明によれば、代用乳供給部に攪拌タンク方向に送風するファンを配置すると共に、攪拌タンクの上面部に湯気の排気口と添加剤の投入口を兼用する開口部を設け、該開口部に多孔板の蓋が配置されているため、一つの開口部を設けて多孔板の蓋を配置するという簡易な構造で、湯気の排気と添加剤の投入を良好かつ簡単に行うことができて、代用乳供給部から攪拌タンク内に代用乳を湿気させることなく供給し得ると共に、添加剤を攪拌タンク内に確実に投入することができる。
【０００８】
また、請求項２に記載の発明によれば、請求項１に記載の発明の効果に加え、検知手段で蓋の開状態が検知された場合にファンの風量を低下させるため、添加剤の投入時の飛散等を抑制できて、添加剤を攪拌タンク内に一層確実に投入することができる。
【０００９】
また、請求項３に記載の発明によれば、請求項１または２に記載の発明の効果に加え、蓋が開状態のままで運転スイッチがオンした場合に、ファンの作動が禁止されると共にエラー表示がなされるため、蓋が閉状態の場合にのみミルクの作製が可能となり、装置を確実に作動させることができる。
【００１０】
さらに、請求項４に記載の発明によれば、請求項１ないし３に記載の発明の効果に加え、代用乳供給部の出口が着脱可能な外筒と内筒の二重構造で形成されているため、例えば内筒を外筒から取り外すことにより、代用乳供給部の清掃を簡単に行うことができて、その清掃性を向上させて代用乳供給部を常に清潔に維持することができる。
【発明を実施するための最良の形態】
【００１１】
以下、本発明を実施するための最良の形態を図面に基づいて詳細に説明する。
図１〜図８は、本発明に係わる代用乳溶解装置の一実施形態を示し、図１及び図２がその概要を示す正面図及び平面図、図３が攪拌タンクの要部を拡大した側面図、図４がその斜視図、図５が代用乳供給部と代用乳ホッパーの断面図、図６がその分解斜視図、図７及び図８が動作を説明するためのフローチャート及びタイミングチャートである。
【００１２】
図１及び図２において、代用乳溶解装置１（以下、溶解装置１という）は、縦長に枠組み構成された架台２を有し、この架台２の上部には湯沸かしタンク３と代用乳ホッパー４が配置され、このタンク３とホッパー４の下方で、正面視左側には攪拌タンク５が配置されると共に正面視右側には制御装置６が配置されている。また、架台２の下部で攪拌タンク５の下方には、哺乳瓶載せ台７が設けられている。
【００１３】
前記湯沸かしタンク３は、例えばステンレス板により直方体形状に形成されてその上面開口部に蓋体が配置されると共に、その内部には、電熱ヒータ１０と図示しない水位センサと温度センサ等が配置されている。この時、電熱ヒータ１０は、ヒータ部１０ａが絶縁性の円形パイプ内に嵌挿された状態で、湯沸かしタンク３の底壁内面に若干の隙間を有して取り付けられ、この電熱ヒータ１０を覆うように伝熱板１１が湯沸かしタンク３の底壁に固定されている。また、前記代用乳ホッパー４は、例えば樹脂成形により横断面が円形のホッパー形状に形成され、その内部には掻き出し羽根４ａが回転可能に設けられると共に、底壁の直径方向の一端側には排出口４ｂが設けられ、この排出口４ｂの下方にスクリュウモータ１９ａにより回転するスクリュウ装置１９が配置されている。
【００１４】
前記攪拌タンク５は、例えばステンレス板により底壁に円錐部を有しかつ外周壁に把手５ａを有する略円筒形状に形成され、その内部には、上部に配置された攪拌モータ１６により回転する攪拌羽根１７が回転可能に配置されると共に、該タンク５の円錐部の底壁には排出口が設けられ、この排出口には手動（もしくは自動）により開閉可能な排出コック１８が接続されている。また、攪拌タンク５は、図３に示すように、その上面開口部に配設される上面板５ｂに代用乳供給部１３が配置されると共に、この代用乳供給１３が配置される部分の外側で溶解装置１の正面側となる位置には湯気の排気口を兼ねる添加剤投入部１４が設けられている。
【００１５】
この時、前記代用乳供給部１３は、図５及び図６に示すように、上部側に位置する長さの長い角筒形状の外筒１３ａと、この外筒１３ａの下端に嵌挿される長さの短い角筒形状の内筒１３ｂとで形成され、外筒１３ａの上部には下方（攪拌タンク５方向）に向けて送風するファン２０が配置され、外筒１３ａの下部には前記スクリュウ装置１９の排出口が接続されている。また、外筒１３ａと内筒１３ｂは、内筒１３ｂの対向する側壁に切り起こしにより形成された係止突起２１の先端部を、外筒１３ａの下端に設けた係止孔２２（もしくは係止凹部）に係止させることにより、互いに着脱可能となっている。そして、この代用乳供給部１３は、下部側に位置する内筒１３ｂが図６の矢印ニの如く下方に所定の力で引っ張られることにより外筒１３ａから取り外されて、内筒１３ｂや外筒１３ａ内部の清掃が可能となっている。
【００１６】
また、前記添加剤投入部１４は、図３及び図４に示すように、攪拌タンク５の上面板５ｂに設けた開口部１４ａと、この開口部１４ａに蝶番２３により矢印イの如く開閉可能に配置された多孔板としての蓋２４と、この蓋２４の開閉を検知する検知手段としてのマグネットスイッチ２５等を有している。前記蓋２４は、例えばステンレス板等で形成されて開口部１４ａに対応した位置に多数のスリット状の孔２４ａが形成されると共に、反蝶番２３側の切り起こし部２４ｂにマグネット２６が固定され、このマグネット２６に対応した攪拌タンク５の上面板５ｂ上に前記マグネットスイッチ２５が適宜の取付板２８等により配置されている。
【００１７】
このマグネットスイッチ２５は、添加剤投入時に蓋２４が図３の位置Ａに示すように開くことにより、マグネット２６が離れて例えばＯＦＦ（開状態）となり、蓋２４が図３の位置Ｂ及び図４に示すように閉じることによりマグネット２６が接近してＯＮ（閉状態）となるように設定されている。なお、蓋２４に設けられる孔２４ａの大きさや数は、後述するように蓋２４が「閉状態」の際に攪拌タンク５内の湯気が外部に良好に排気できるように設定され、また、マグネットスイッチ２５は前記制御装置６に接続されて、後述するようにその検知信号により前記ファン２０の作動を制御するように設定されている。
【００１８】
そして、この攪拌タンク５は、攪拌羽根１７が回転することにより、代用乳供給部１３から内部に投入された代用乳と湯沸かしタンク３から内部に供給された湯とが攪拌溶解されてミルクが作製され、このミルクが排出口及び排出コック１８から下方に排出されるようになっている。また、攪拌タンク５は、その外周部に設けた把手５ａを持って所定角度回転させることにより架台２に対して下方に着脱できて、攪拌タンク５内の水洗い等の清掃が可能となっている。なお、添加剤投入部１４は、図４に示すように、必要に応じてカバー２７で覆われるようになっている。
【００１９】
このように構成された湯沸かしタンク３、代用乳ホッパー４及び攪拌タンク５は、前記制御装置６に接続されて、該制御装置６の図示しない操作パネルの各スイッチ等の操作によって、その動作が例えば次のように制御される。すなわち、制御装置６のメインスイッチがオンすると溶解装置１が作動可能な状態となり、先ず、制御装置により前記マグネットスイッチ２５の検知信号が図７に示すように判断される。
【００２０】
すなわち、運転スイッチがオンしてプログラムが開始（Ｓ１００）されると、マグネットスイッチ２５（ＳＷ）がＯＮか否かが判断（１０１）され、この判断Ｓ１０１で「ＮＯ」の場合、すなわち添加剤投入部１４の蓋２４が前回のミルク作製の後に閉め忘れる等して開いている場合は、操作パネルの表示盤にエラー表示（Ｓ１０３）をして、溶解装置１の作動を禁止させる。一方、判断Ｓ１０１で「ＹＥＳ」の場合、すなわち添加剤投入部１４の蓋２４が閉じている場合は、次のミルク作製工程（Ｓ１０２）を実行する。
【００２１】
このミルク作製工程は、先ず、湯沸かしタンク３に所定量の水が給水される給水工程が実行され、この給水工程で湯沸かしタンク３内に水が供給されると、電熱ヒータ１０が通電されて湯沸かしタンク３内の水が所定温度まで加熱される湯沸かし工程が実行される。この湯沸かし工程時に電熱ヒータ１０が通電されると、該ヒータ１０の熱でパイプ１０ｂの周囲に配置されている伝熱板１１が加熱、すなわち電熱ヒータ１０の熱を伝熱板１１が奪う形となって、湯沸かしタンク３内の水が効率的に加熱され、湯沸かしタンク３内に供給される水の量、すなわち作製するミルクの本数が少ない場合であっても、タンク３内の上下における湯温のバラツキを抑えることが可能となる。
【００２２】
そして、前記湯沸かし工程で湯沸かしタンク３内の水が所定温度まで加熱されると、この湯沸かしタンク３から選択された哺乳瓶本数に対応する量の湯が攪拌タンク５内に供給されて給湯工程が実行される。また、給湯工程が開始されると略同時もしくは所定時間後に、代用乳供給工程が実行され、この代用乳供給工程はスクリュウ装置１９の作動時間によって制御されて、所定量の代用乳が代用乳供給部１３から攪拌タンク５内に供給される。この代用乳供給工程においてスクリュウ装置１９が作動すると、これと同時もしくは所定時間後に、攪拌モータ１６も作動して攪拌羽根１７が所定時間回転して、攪拌タンク５内に供給される湯と代用乳とが攪拌される攪拌溶解工程が実行され、この攪拌溶解工程が所定時間実行されることにより、ミルクが作製される。
【００２３】
このミルクの作製時において、攪拌タンク５内で発生する湯気は、添加剤投入部１４の蓋２４に設けた孔２４ａから図４の矢印ロに示す如く外部に排気され、この排気時に前記ファン２０の回転数が図８（ａ）に示すように「通常」に設定され、このファン２０の回転で代用乳供給部１３から攪拌タンク５内に送風（圧送）されることになり、攪拌タンク５内の湯気が蓋２４の孔２４ａを通過して外部に排出（排気）される。
【００２４】
一方、ミルク作製時に、添加剤を投入する場合は、添加剤投入部１４の蓋２４を開放して開口部１４ａから添加剤を図４の矢印ハの如く投入する。この時、添加剤投入部１４の蓋２４が開放されるとマグネットスイッチ２５がＯＦＦとなり、このＯＦＦ信号が制御装置６に入力されて、該制御装置６の制御信号により、図８（ａ）に示すようにファン２０の回転数が低回転数に変更される。このファン２０の回転数の低下により、代用乳供給部１３から攪拌タンク５及び開口部１４ａを介した送風力が弱くなり、開口部１４ａから投入される添加剤が粉状であったとしても飛散することなく攪拌タンク５内に良好に投入される。
【００２５】
なお、ファン２０の低回転数への変更は、ファン２０に供給される電圧を例えば２４Ｖから８Ｖ程度に低下させることにより行われ、また、ファン２０の作動開始は、少なくとも攪拌溶解工程前となるように設定されている。さらに、溶解装置１の電源スイッチ及び前記マグネットスイッチ２５（蓋スイッチ）と、前記ファン２０の回転数及び前述したエラー表示との関係は、蓋２４が「閉」でスタート（電源スイッチがＯＮ）した場合と蓋２４が「開」でスタートした場合において、図８（ａ）（ｂ）となるように設定されている。
【００２６】
また、この添加剤の投入時に、ファン２０が停止することなく低回転数で回転していることから、代用乳供給部１３内に攪拌タンク５方向に向けた空気の流れが生成されており、代用乳供給部１３に湯気が侵入して代用乳や代用乳供給部１３内が湿気を帯びることもなくなり、攪拌タンク５内に代用乳がスムーズに供給される。つまり、添加剤の投入時にフアン２０の回転数を所定の低回転数に設定することにより、攪拌タンク５内に供給される代用乳への湯気による湿気を抑制しつつ、かつ開口部１４ａから湯気を外部に排気しながら添加剤を同じ開口部１４ａから攪拌タンク５内に投入できることになる。
【００２７】
このようにして攪拌タンク５内で添加剤入りのミルクが作製されると、このミルクが作業者によって攪拌タンク５の排出コック１８を開くことにより、排出コック１８の下方の哺乳瓶載せ台７上にセットされている哺乳瓶に充填され、このミルクが充填された所定本数の哺乳瓶により子牛にミルクが与えられることになる。そして、ミルク作製が終了した後は、必要に応じ、攪拌タンク５を架台２から取り外し、代用乳供給部１３の内筒１３ｂを下方に引っ張って外筒１３ａから取り外すことにより、攪拌タンク５や代用乳供給部１３の清掃が行われる。
【００２８】
このように、上記実施形態の溶解装置１にあっては、代用乳供給部１３に攪拌タンク５方向に送風するファン２０が配置されると共に、攪拌タンク５の上面板５ｂに湯気の排気口と添加剤の投入口を兼用する開口部１４ａを設け、この開口部１４ａに多孔板状の蓋２４が開閉可能に配置されているため、一つの開口部１４ａを設けて蓋２４を配置するという簡易な構造で、湯気の排気と添加剤の投入を溶解装置１の前面側の開口部１４ａから良好かつ簡単に行うことができる。その結果、代用乳供給部１３から攪拌タンク５内に代用乳を湿気させることなく供給することができると共に、ミルク作製時であっても添加剤を飛散等させることなく攪拌タンク５内に確実に投入することができる。
【００２９】
また、添加剤投入部１４に設けたマグネットスイッチ２５により蓋２４の開閉状態が検知されて、ミルク作製時に蓋２４の開状態が検知された場合にファン２０の回転数が低回転数に設定されて風量が低下するため、粉状の添加剤であってもその投入時の飛散を抑制しつつ、添加剤を攪拌タンク５内に確実に投入することができると共に、代用乳供給部１３内において攪拌タンク５方向に向けた送風を維持することができて、代用乳供給部１３から攪拌タンク５内に供給される代用乳を湿気させることがなく良好に供給することが可能となる。
【００３０】
また、マグネットスイッチ２５を設けて蓋２４が開状態のままで溶解装置１の運転スイッチがオンした場合に、ファン２０の作動が禁止されると共にエラー表示がなされるため、蓋２４が閉状態の場合にのみミルクの作製が可能となり、蓋２４の閉め忘れ状態での溶解装置１の運転を禁止して、溶解装置１の確実な運転を行うことができる。さらに、代用乳供給部１３が着脱可能な外筒１３ａと内筒１３ｂの二重構造で形成されて、内筒１３ｂが下方に取り外しできると共に、攪拌タンク５が回転操作により架台２から取り外しできるため、攪拌タンク５と内筒１３ｂをワンタッチ式に取り外すことにより、内筒１３ａや外筒１３ａ内部に付着した代用乳を簡単に除去できる等、代用乳供給部１３の清掃を容易に行うことができて常に清潔に維持することができたり、攪拌タンク５を水洗いできて、溶解装置１のメンテナンス性（清掃性）をより向上させることが可能となる。
【００３１】
また、上記実施形態の溶解装置１にあっては、次のような作用効果を得ることもできる。すなわち、湯沸かしタンク３の底壁内面側に電熱ヒータ１０が配置されると共に、この電熱ヒータ１０の周囲を覆うように伝熱板１１が配置されているため、電熱ヒータ１０で加熱された伝熱板１１の熱により湯沸かしタンク３内の水の加熱効率を高めることができて、ミルクの作製量に係わらず均一した温度のミルクを安定して作製することができると共に、加熱効率の向上により電熱ヒータ１０自体の容量を低く設定できる等、電熱ヒータ１０の使用電力の無駄を省いて省エネの面でも優れた溶解装置１を得ることができる。
【００３２】
また、攪拌タンク５によって所定頭数分のミルクが繰り返し作製されると共に、繰り返し作製されたミルクが哺乳瓶載せ台７上の哺乳瓶にそれぞれ充填されるため、ミルクが充填された哺乳瓶により飼育者が子牛の体調等を管理しながら哺乳することができ、子牛の体調を良好に維持して販売時の価値を高めたり哺育期間の延長を防止することができると共に無駄な添加剤の投与等を防止できて、子牛の哺育コストを低減化させること等が可能となる。
【００３３】
さらに、一回の溶解作業で作製されるミルクの本数等が制御装置６の操作パネルで入力設定できるため、哺育農家の規模に応じた最適本数の哺乳瓶を作製できて、汎用性に優れた溶解装置１の提供が可能になると共に、ミルクの温度が冷めない状態の各哺乳瓶によりスピーディに哺乳でき、哺乳作業の能率向上等を図って、一層コスト的に有利な溶解装置１を提供することが可能となる。またさらに、攪拌タンク５への湯の供給量が給湯電磁弁の開時間で行われると共に、代用乳の供給量が代用乳供給用のスクリュウ装置１９の作動時間で行われるため、電磁弁やスクリュウモータ１９ａ等の制御により均一な品質のミルクを簡単に作製することができる。
【００３４】
また、代用乳ホッパー４のスクリュウ装置１９の排出口側に、代用乳供給部１３内に送風するファン２０が配置されているため、攪拌タンク５に供給される代用乳の吸湿による外筒１３ａ、内筒１３ｂやスクリュウ装置１９への固着等を防止することができると共に、代用乳ホッパー４の排出口４ｂが底部の直径方向の一端側に設けられているため、掻き出し羽根４ａで送られる粉状の代用乳の排出口４ｂにおける詰まりを防止して、代用乳のスクリュウ装置１９への排出をスムーズに行うことができる。これらにより、代用乳の攪拌タンク５への搬送供給をスムーズに行うことができて、所定量の代用乳を攪拌タンク内に安定して供給することが可能となる。
【００３５】
なお、上記実施形態においては、蓋２４の開閉状態を検知する検知手段としてマグネットスイッチ２５を使用したが、本発明はこれに限定されず、例えばマイクロスイッチ等の他の適宜にスイッチを使用することもできるし、蓋２４の孔２４ａもスリット状に限らず例えば円形に形成することもできる。また、上記実施形態における、溶解装置１の全体形状、各タンクやホッパーの大きさ、配置位置、代用乳供給部１３の各筒１３ａ、１３ｂの係止構造等は一例であって、例えば外筒１３ａと内筒１３ｂの係止突起２１と係止孔２２を逆構成とする等、本発明に係わる各発明の要旨を逸脱しない範囲において、適宜に変更することができる。
【産業上の利用可能性】
【００３６】
本発明は、子牛への哺乳に限らず、子豚等の各種哺乳家畜の哺乳にも利用することができる。
【図面の簡単な説明】
【００３７】
【図１】本発明に係わる代用乳溶解装置の一実施形態を示す概略正面図
【図２】同その平面図
【図３】同その攪拌タンクの側面図
【図４】同その斜視図
【図５】同代用乳供給部と代用乳ホッパーの断面図
【図６】同その分解斜視図
【図７】同動作の一例を示すフローチャート
【図８】同動作の一例を示すタイミングチャート
【符号の説明】
【００３８】
１・・・代用乳溶解装置、２・・・架台、３・・・湯沸かしタンク、４・・・代用乳ホッパー、５・・・攪拌タンク、６・・・制御装置、７・・・哺乳瓶載せ台、１０・・・電熱ヒータ、１１・・・伝熱板、１３・・・代用乳供給部、１３ａ・・・外筒、１３ｂ・・・内筒、１４・・・添加剤投入部、１４ａ・・・開口部、１６・・・攪拌モータ、１７・・・攪拌羽根、１８・・・排出コック、１９・・・スクリュウ装置、２０・・・ファン、２１・・・係止突起、２２・・・係止孔、２４・・・蓋、２４ａ・・・孔、２５・・・マグネットスイッチ、２６・・・マグネット。
【図１】
2008212056.tif 000003
【図２】
2008212056.tif 000004
【図３】
2008212056.tif 000005
【図４】
2008212056.tif 000006
【図５】
2008212056.tif 000007
【図６】
2008212056.tif 000008
【図７】
2008212056.tif 000009
【図８】
2008212056.tif 000010